(57)【要約】【課題】トランスミッションに正確にオイルを注入することのできるオイル注入方法を提供する。【解決手段】トランスミッション１と、このトランスミッション１を担持したスキッド６と、そのスキッド６を支持したローラコンベア５の全体をカウンタバランス装置１０によって吊り下げ、次いでローラコンベア５の下面に小容量のロードセル１６を接触させ、その後にロードセル１６をリセットする。次いで、トランスミッション１にオイルを注入し、トランスミッション１に所定量のオイルＯＩが注入されたことがロードセル１６により検知されたとき、トランスミッション１へのオイルの注入を停止する。【選択図】図３
2007285420.tif 000002
【特許請求の範囲】
【請求項１】
オイルを注入すべき機器と該機器を担持した担持体とを、カウンタバランス装置によってバランスを保って吊り下げ、吊り下げ状態にある前記担持体の下面にロードセルを接触させ、その接触後にロードセルをリセットし、該リセット後に前記機器へのオイルの注入を開始し、該機器に所定量のオイルが注入されたことが前記ロードセルによって検知されたとき、機器へのオイルの注入を停止することを特徴とする機器へのオイル注入方法。
【発明の詳細な説明】
【技術分野】
【０００１】
本発明は、例えば自動車のトランスミッションや差動歯車装置などの機器にオイルを注入する方法に関するものである。
【背景技術】
【０００２】
自動車工場において、差動歯車装置やトランスミッションを車体に搭載するとき、その搭載に先立って、これらの機器のケースにオイルを注入している。これらの機器に注入されるオイルについては、次の非特許文献１を参照されたい。
【０００３】
【非特許文献１】１９８８年１２月２７日発行、発行所  トヨタ自動車株式会社  トヨタ技術会「自動車用語事典  改訂版」第３６４頁及び第４００頁
【発明の開示】
【発明が解決しようとする課題】
【０００４】
本発明の目的は、従来とは異なった機器へのオイル注入方法を提供することにある。
【課題を解決するための手段】
【０００５】
本発明は、上記目的を達成するため、オイルを注入すべき機器と該機器を担持した担持体とを、カウンタバランス装置によってバランスを保って吊り下げ、吊り下げ状態にある前記担持体の下面にロードセルを接触させ、その接触後にロードセルをリセットし、該リセット後に前記機器へのオイルの注入を開始し、該機器に所定量のオイルが注入されたことが前記ロードセルによって検知されたとき、機器へのオイルの注入を停止することを特徴とする機器へのオイル注入方法を提案する。
【発明の効果】
【０００６】
本発明によれば、機器のケースに正確な量のオイルを注入することができる。
【発明を実施するための最良の形態】
【０００７】
以下、本発明の実施形態例を図面に従って詳細に説明する。
【０００８】
図１乃至図３は、自動車の製造工場において、機器の一例であるトランスミッション１のケース２にオイルを注入する方法を示す説明図である。これらの図においては、トランスミッション１のケース２の一部を断面で表わしてある。
【０００９】
図示した自動車工場の製造ラインには、多数のローラ３と、これらのローラ３を支持する支字枠４とから成るローラコンベア５と、そのローラコンベア５と同じく構成された他の多数のローラコンベア５Ａ，５Ｂ，５Ｃが配列されている。図１に示すように、トランスミッション１は、スキッド６上に載せられ、そのトランスミッション１とスキッド６が、エアシリンダより成る早送りプッシャ−７によって矢印Ａ方向に搬送され、１つのローラコンベア５上で止められる。このローラコンベア５とスキッド６は、オイルを注入すべき機器の一例であるトランスミッション１を担持する担持体２０を構成する。
【００１０】
次いで、図示していない作業者が、オイル注入ガン８をケース２のオイル注入口にセットし、そのオイル注入ガン８に設けられた起動釦（図示せず）を押す。これにより生じた電気信号が、図２及び図３に示した制御装置９に入力されるが、これだけではオイル注入ガン８からオイルが流出することはない。
【００１１】
一方、作業者は、図２に示すように、カウンタバランス装置１０に掛けられたワイヤ１１を、ローラコンベア５の支持枠４に掛け回し、そのカウンタバランス装置１０によって、ローラコンベア５と、これに載置されたスキッド６と、そのスキッド６に支持されたトランスミッション１と、これにセットされたオイル注入ガン８の全体を上方に持ち上げ、バランスのとれたところで、これらを停止させる。ローラコンベア５とスキッド６より成る担持体２０と、トランスミッション１と、オイル注入ガン８との総重量は、例えば５００ｋｇにも及ぶ大きなものである。カウンタバランス装置１０は、かかる大重量の物体を上昇させると共に、その大重量の物体をバランスを保って吊り下げることができ、しかもその物体の重量に比べて極く軽量の物がその物体に加えられたときも、当該物体がわずかに下方に移動できるように構成されている。
【００１２】
上述のように、オイルを注入すべき機器の一例であるトランスミッション１と、その機器を担持した担持体２０とを、カウンタバランス装置１０によってバランスを保って吊り下げた後、制御装置９からの指令によって電磁弁１２を作動させる。これによりエア源1３からのエアがエアシリンダ１４に供給され、そのエアシリンダ１４のピストンロッド１５が上昇する。この上昇に伴って、図３に示すように、ロードセル１６が上方に持ち上げられ、ロードセル１６が、吊り下げ状態にあるローラコンベア５の下面に軽く接触する。この時点で、ロードセル１６をその位置に停止させると共に、ロードセル１６をリセットする。ロードセル１６が、吊り下げ状態にある担持体２０の下面に接触した後に、該ロードセル１６の測定値をゼロｋｇにセットして、当該ロードセル１６をリセットするのである。
【００１３】
上述のようにロードセル１６がリセットされることにより発生した電気信号が制御装置９に取り込まれる。このようにロードセル１６がリセットされたときの電気信号と、前述の起動釦が押下されることにより生じた電気信号が共に制御装置９に入力されることにより、当該制御装置９からオイル注入ガン８に対してオイル注入信号から出力される。これによって自動的にオイル注入ガン８からオイルが流出し、トランスミッション１のケース２へのオイルの注入が開始される。このようにロードセル１６のリセット後に機器へのオイルの注入が開始されるのである。
【００１４】
図３に示すように、トランスミッション１のケース２にオイルＯＩが注入されるに従って、そのトランスミッション１と担持体は少量ずつ下方に移動し、その荷重がロードセル１６に作用する。その際、トランスミッション１のケース２に所定量のオイルＯＩが注入されたときにロードセル１６が示す測定値が予め検出され、その値が制御装置９に予め設定されている。そして、上述した実際のオイル注入作業時に、トランスミッション１のケース２に所定量のオイルＯＩが注入されて、ロードセル１６の測定値が予め検出された値になったとき、これにより生ぜしめられた検知信号が制御装置９に取り込まれる。これによって、制御装置９からオイル注入ガン８に対してオイル注入停止信号が出力され、これに基づいてオイル注入ガン８からのオイルの流出が停止される。機器に所定量のオイルが注入されたことがロードセル１６によって検知されたとき、機器へのオイルの注入が停止されるのである。
【００１５】
製造ラインの近傍には、図２及び図３に示した表示器１７が配置され、トランスミッション１のケース２内へのオイル注入量が所定量に達していないときは、表示機１７の「注入量ＮＧ」が点灯し、「注入量ＯＫ」は消灯している。これに対し、ケース２に所定量のオイルが注入され終えると、「注入量ＮＧ」が消灯し、「注入量ＯＫ」が点灯する。「注入量ＯＫ」の点灯を目視した作業者はオイル注入ガン８をケース２のオイル注入口から外し、トランスミッション１へのオイルの注入作業を終える。次いで、担持体２０とトランスミッション１が図１に示した位置に下げられた後、ローラコンベア５からワイヤ１１が取り去られ、トランスミッション１とこれを支持したスキッド６は、図３に矢印Ｂで示すように次の工程に搬送される。
【００１６】
トランスミッション１の型式によって、そのケース２に注入されるオイルの量が異なるが、各型式のトランスミッション１に注入されるオイルの量に対応するロードセル１６の測定値が予め制御装置９に設定されている。このため、製造ラインに次々と送られてくる各型式のトランスミッション１に対して、正しい量のオイルをそれぞれ注入することができる。
【００１７】
上述したオイル注入方法によれば、トランスミッション１と、その担持体２０と、オイル注入ガン８をカウンタバランス装置１０によってバランスを保って吊り下げ、この状態でトランスミッション１にオイルを注入し、その注入量をロードセル１６により検知するので、トランスミッション１とその担持体２０の総重量は非常に大きなものではあるが、小容量のロードセル１６によって、トランスミッション１に所定量のオイルが注入されたことを正しく検知することができる。
【００１８】
トランスミッション１以外の機器、例えば差動歯車装置などにも、上述したところと同様にしてオイルを正しく注入することができる。
【図面の簡単な説明】
【００１９】
【図１】トランスミッションとその担持体をオイル注入位置に搬送したときの様子を示す説明図である。
【図２】トランスミッションとその担持体とオイル注入ガンをカウンタバランス装置によって持ち上げたときの様子を示す説明図である。
【図３】ロードセルを上昇させて、そのロードセルを担持体の下面に接触させたときの様子を示す説明図である。
【符号の説明】
【００２０】
１０  カウンタバランス装置
１６  ロードセル
２０  担持体
ＯＩ  オイル
【図１】
2007285420.tif 000003
【図２】
2007285420.tif 000004
【図３】
2007285420.tif 000005